(57)【要約】【課題】簡単な構成により原稿の両面の画像を同時に読み取る際の裏写りを低減させる画像読取装置を提供する。【解決手段】画像読取装置は、ＬＥＤ光源１０１、１０２により原稿Ｓの表面を照射して、表面の画像を読み取るＣＩＳ１１０、及びＬＥＤ光源４０１、４０２により原稿Ｓの裏面を照射して、裏面の画像を読み取るＣＩＳ４１０を備える。画像読取装置は、原稿Ｓの片面の画像を読み取るときには、ＣＩＳ１１０に画像を読み取らせる。原稿Ｓの両面の画像を読み取るときには、画像読取装置は、ＣＩＳ１１０及びＣＩＳ４１０に画像を読み取らせ、ＬＥＤ光源１０２から照射される光の光量を原稿Ｓの表面を読み取るときよりも小さくする。ＬＥＤ光源４０１から照射される光の光量は、両面の画像を読み取るときのＬＥＤ光源１０２から照射される光の光量と同量である。【選択図】図２
2015177212.tif 000002
【特許請求の範囲】
【請求項１】
第１及び第３の照射手段により原稿の一方の面を照射して、該面の画像を読み取る第１の画像読取手段と、
第２及び第４の照射手段により前記原稿の他方の面を照射して、該面の画像を読み取る第２の画像読取手段と、
前記原稿の片面の画像を読み取るときに、前記第１の画像読取手段に画像を読み取らせ、前記原稿の両面の画像を読み取るときに、前記第１の画像読取手段及び前記第２の画像読取手段に画像を読み取らせるとともに、前記第１の照射手段から照射される光の光量を第３の照射手段から照射される光の光量よりも小さくし、前記第２の照射手段から照射される光の光量を前記第４の照射手段から照射される光の光量よりも小さくなるように制御する制御手段と、を備えることを特徴とする、
画像読取装置。
【請求項２】
前記第２の照射手段は、照射する光の光量が前記原稿の両面の画像を読み取るときに前記第１の照射手段から照射される光の光量と同量であることを特徴とする、
請求項１記載の画像読取装置。
【請求項３】
前記第１の照射手段は、前記第２の画像読取手段の方向に光を照射し、
前記第３の照射手段は、前記第２の画像読取手段とは逆の方向に光を照射し、
前記制御手段は、前記原稿の両面の画像を読み取るときに、前記第１の照射手段から照射される光の光量を小さくすることを特徴とする、
請求項１又は２記載の画像読取装置。
【請求項４】
前記制御手段は、前記原稿の両面の画像を読み取るときに前記第１の照射手段から照射される光の光量を、前記原稿の片面の画像を読み取るときに照射される光の光量から半減することを特徴とする、
請求項３記載の画像読取装置。
【請求項５】
前記第２の照射手段は、前記第１の画像読取手段の方向に光を照射し、その光量が、前記原稿の両面の画像を読み取るときに前記第１の照射手段から照射される光の光量と同量であることを特徴とする、
請求項３又は４記載の画像読取装置。
【請求項６】
前記第１及び第３の照射手段から照射されるそれぞれの光は、光軸が前記原稿の一方の面の近傍で交差し、
前記第２及び第４の照射手段から照射されるそれぞれの光は、光軸が前記原稿の他方の面の近傍で交差することを特徴とする、
請求項５記載の画像読取装置。
【請求項７】
前記第１の画像読取手段は、前記第１及び第３の照射手段から照射されて前記原稿の一方の面で反射された光を受光し、受光した光により前記原稿の一方の面の画像を表す画像データを生成する第１の光電変換手段を備え、
前記第２の画像読取手段は、前記第２及び第４の照射手段から照射されて前記原稿の他方の面で反射された光を受光し、受光した光により前記原稿の他方の面の画像を表す画像データを生成する第２の光電変換手段を備えることを特徴とする、
請求項１〜６のいずれか１項記載の画像読取装置。
【請求項８】
前記原稿が載置される原稿トレイと、
前記原稿トレイから前記原稿を１枚ずつ連続して取り込み、取り込んだ原稿を前記第１の画像読取手段及び前記第２の画像読取手段による画像読取位置まで搬送する原稿搬送ユニットと、
画像が読み取られた原稿が排出される排紙トレイと、を更に備えることを特徴とする、
請求項１〜７のいずれか１項記載の画像読取装置。
【請求項９】
前記原稿搬送ユニットにより前記原稿が搬送される搬送路に設けられ、前記原稿の先端及び後端を検知する原稿検知センサを更に備え、
前記制御手段は、前記原稿検知センサの検知結果に応じて、前記第１の画像読取手段及び前記第２の画像読取手段に画像を読み取らせることを特徴とする、
請求項８記載の画像読取装置。
【請求項１０】
第１及び第３の照射手段により原稿の一方の面を照射して、該面の画像を読み取る第１の画像読取手段と、第２及び第４の照射手段により前記原稿の他方の面を照射して、該面の画像を読み取る第２の画像読取手段と、を備えた装置により実行される方法であって、
前記原稿の片面の画像を読み取るときに、前記第１の画像読取手段に画像を読み取らせ、
前記原稿の両面の画像を読み取るときに、前記第１の画像読取手段及び前記第２の画像読取手段に画像を読み取らせるとともに、前記第１の照射手段から照射される光の光量を第３の照射手段から照射される光の光量よりも小さくし、前記第２の照射手段から照射される光の光量を前記第４の照射手段から照射される光の光量よりも小さくなるように制御することを特徴とする、
画像読取方法。
【発明の詳細な説明】
【技術分野】
【０００１】
本発明は、原稿の画像を読み取る画像読取装置に関する。
【背景技術】
【０００２】
複写機、ファクシミリ等の画像形成装置は、原稿から画像を読み取って画像データを生成する画像読取装置を備える。画像読取装置は、両面印刷の原稿の画像を読み取る際に、原稿の読取面の反対の面の画像まで読み取ってしまうことがある。これは、いわゆる「裏写り」の原因となる。特に、原稿の両面を同時に読み取ることができる画像形成装置では、両面読取の際に、反対の面を読み取るための光により、裏写りの量が多くなる。
【０００３】
特許文献１には、このような裏写りを防止する技術が開示される。特許文献１には、原稿の搬送方向に沿って光透過体で構成される第１、第２搬送ガイドを備える画像読取装置が記載される。第１搬送ガイドからは、画像を読み取るための光が原稿の一表面に照射され、第２搬送ガイドからは、画像を読み取るための光が原稿の他表面に照射される。第１搬送ガイドと第２搬送ガイドとの間には、互いの光の通過を妨げる遮光手段が設けられる。
【先行技術文献】
【特許文献】
【０００４】
【特許文献１】特許第３７７１１４８号公報
【発明の概要】
【発明が解決しようとする課題】
【０００５】
特許文献１の画像読取装置は、遮光手段を設ける必要があり、これがコストアップの要因になる。また、遮光手段を設けるスペースが必要になり、画像読取装置の省スペース化の妨げになる。
【０００６】
本発明は、簡単な構成により原稿の両面の画像を同時に読み取る際の裏写りを低減させることを目的とする。
【課題を解決するための手段】
【０００７】
本発明の画像読取装置は、第１及び第３の照射手段により原稿の一方の面を照射して、該面の画像を読み取る第１の画像読取手段と、第２及び第４の照射手段により前記原稿の他方の面を照射して、該面の画像を読み取る第２の画像読取手段と、前記原稿の片面の画像を読み取るときに、前記第１の画像読取手段に画像を読み取らせ、前記原稿の両面の画像を読み取るときに、前記第１の画像読取手段及び前記第２の画像読取手段に画像を読み取らせるとともに、前記第１の照射手段から照射される光の光量を第３の照射手段から照射される光の光量よりも小さくし、前記第２の照射手段から照射される光の光量を前記第４の照射手段から照射される光の光量よりも小さくなるように制御する制御手段と、を備えることを特徴とする。
【発明の効果】
【０００８】
本発明によれば、簡単な構成により原稿の両面の画像を同時に読み取る際の裏写りを低減させることができる。
【図面の簡単な説明】
【０００９】
【図１】画像読取装置の構成図。
【図２】原稿の両面を同時に読み取る際のＣＩＳの説明図。
【図３】原稿の片面を読み取る際の説明図。
【図４】制御部の構成例示図。
【図５】読み取り処理を表すフローチャート。
【発明を実施するための形態】
【００１０】
以下、図面を参照して実施の形態を詳細に説明する。
【００１１】
図１は、本実施形態の画像読取装置の構成図である。画像読取装置は、装置下部１０及び装置上部４０を備える。装置下部１０は、原稿台１０８及びコンタクトイメージセンサ（ＣＩＳ：Contact Image Sensor）１１０を備える。原稿台１０８はガラス板等の透明板で構成される。装置上部４０は、原稿トレイ２０、排紙トレイ２１、及び自動原稿搬送器
(ＡＤＦ：Automatic Document Feeder）３０を備える。装置上部４０の原稿トレイ２０、排紙トレイ２１、及びＡＤＦ３０は一体に構成される。原稿トレイ２０に載置される原稿Ｓは、ＡＤＦ３０に取り込まれて画像を読み取られ排紙トレイ２１に排出される。画像読取装置は、ＡＤＦ３０を用いることで、原稿Ｓの片面読取及び両面読取を行うことができる。
【００１２】
なお、装置上部４０は、不図示の開閉機構により、装置下部１０に対して開閉自在である。装置上部４０の開閉により、画像読取装置は、ＡＤＦ３０を用いずに、原稿台１０８上に載置された原稿Ｓの画像を読み取ることができる。
【００１３】
装置下部１０のＣＩＳ１１０は、原稿Ｓの一方の面の画像読取部として機能する。本明細書では、ＣＩＳ１１０で読み取る面を「表面」とする。原稿トレイ２０に載置される原稿Ｓの上側の面が表面になる。なお表面の反対の面を「裏面」とする。ＣＩＳ１１０は、照射手段として一対のＬＥＤ（Light Emitting Diode）光源１０１、１０２、光電変換部１０３、及びレンズ１０４を備える。
【００１４】
ＬＥＤ光源１０１、１０２から照射された光は、ＡＤＦ３０で取り込まれた原稿Ｓの表面又は原稿台１０８上に載置された原稿Ｓの表面で反射され、その反射光がレンズ１０４を介して光電変換部１０３に入力される。光電変換部１０３は、入力された反射光を電気信号に変換することで画像データを生成する。
【００１５】
ＬＥＤ光源１０１は、主走査方向（図１の奥行き方向）に沿って配列される複数のＬＥＤ素子及び導光体を有している。ＬＥＤ光源１０２も同様に、主走査方向に沿って配列される複数のＬＥＤ素子及び導光体を有している。ＬＥＤ光源１０１、１０２は、各ＬＥＤ素子から出射された光により導光体を介して原稿Ｓの表面を照射する。光電変換部１０３は、主走査方向に配列される複数の光電素子を備えている。
【００１６】
このような構成のＣＩＳ１１０は、原稿台１０８の下方において副走査方向（図１の左右方向）に移動可能に設けられる。原稿台１０８に原稿Ｓが載置される場合には、ＣＩＳ１１０が副走査方向に移動して、当該原稿Ｓの画像を読み取る。
【００１７】
装置上部４０のＡＤＦ３０は、原稿搬送ユニットとして機能する。ＡＤＦ３０は、原稿トレイ２０上に載置される原稿Ｓを１枚ずつ排紙トレイ２１まで搬送する。そのためにＡＤＦ３０は、搬送路に沿って、ピックアップローラ３１、分離部３２、第１レジストローラ３３、第２レジストローラ３４、第１搬送ローラ３５、第２搬送ローラ３６、及び排紙ローラ３８を備える。この他にＡＤＦ３０は、搬送される原稿Ｓの先端及び後端を検知するための原稿検知センサ３９、及びＣＩＳ４１０を備える。
【００１８】
装置上部４０のＣＩＳ４１０は、原稿Ｓの他方の面である裏面の画像読取部として機能する。ＣＩＳ４１０は、照射手段としての一対のＬＥＤ光源４０１、４０２、光電変換部４０３、及びレンズ４０４を備える。ＬＥＤ光源４０１、４０２から照射された光は、ＡＤＦ３０で取り込まれた原稿Ｓの裏面に反射され、その反射光がレンズ４０４を介して光電変換部４０３に入力される。光電変換部４０３は、入力された反射光を電気信号に変換することで画像データを生成する。
【００１９】
ＬＥＤ光源４０１は、主走査方向に沿って配列される複数のＬＥＤ素子及び導光体を有している。ＬＥＤ光源４０２も同様に、主走査方向に沿って配列される複数のＬＥＤ素子及び導光体を有している。ＬＥＤ光源４０１、４０２は、各ＬＥＤ素子から出射された光により導光体を介して原稿Ｓの裏面を照射する。光電変換部４０３は、主走査方向に配列される複数の光電素子を備えている。
【００２０】
ＡＤＦ３０は、ピックアップローラ３１により原稿トレイ２０上に載置される原稿Ｓを取り込む。分離部３２は、図中の上方に分離ローラ及び下方に分離パッドを備えた構成であり、ピックアップローラ３１で取り込んだ原稿Ｓを１枚ずつ分離する。ＡＤＦ３０は、ピックアップローラ３１及び分離部３２により、原稿Ｓを１枚ずつ連続して取り込み可能である。
【００２１】
第１レジストローラ３３は、取り込んだ原稿Ｓの斜行補正を行う。斜行補正された原稿Ｓは、第２レジストローラ３４及び第１搬送ローラ３５により、ＣＩＳ４１０及びＣＩＳ１１０による画像読取位置まで搬送される。ＣＩＳ４１０及びＣＩＳ１１０により画像が読み取られた原稿Ｓは、第２搬送ローラ３６及び排紙ローラ３８により、排紙トレイ２１に排出される。
【００２２】
図２は、画像読取装置により原稿Ｓの両面の画像を同時に読み取る際のＣＩＳ１１０、４１０の説明図である。原稿Ｓが搬送される搬送路に対してＣＩＳ４１０がＣＩＳ１１０よりも上流側に配置されるために、両面の読取時には、ＣＩＳ４１０が先に読取動作を開始する。上記の通り、ＣＩＳ１１０は、２つのＬＥＤ光源１０１、１０２を備えており、原稿Ｓの表面を２方向から照射するようになっている。同様にＣＩＳ４１０も２つのＬＥＤ光源４０１、４０２を備えており、原稿Ｓの裏面を２方向から照射するようになっている。
【００２３】
ＣＩＳ１１０から照射される光の経路について説明する。ＬＥＤ光源１０１から照射される光の光軸は、原稿台１０８の原稿載置面の法線に対して、ＬＥＤ光源１０２側に所定角度で傾斜する。ＬＥＤ光源１０２から照射される光の光軸は、原稿台１０８の原稿載置面の法線に対して、ＬＥＤ光源１０１側に所定角度で傾斜する。ＬＥＤ光源１０１の光軸とＬＥＤ光源１０２の光軸とは、原稿台１０８上の原稿載置面（原稿Ｓの表面）の近傍で交差する。ＬＥＤ光源１０１、１０２からの光は、原稿Ｓの表面に照射される。原稿Ｓの表面からの反射光がレンズ１０４を介して光電変換部１０３に入力される。
原稿Ｓの搬送方向において、ＬＥＤ光源１０１は表面の読取位置に対して上流に位置し、ＬＥＤ光源１０２は表面の読取位置に対して下流に位置する。ここで、表面の読取位置は、設計上において表面の読取面と搬送される原稿は交差する位置である。
【００２４】
ＣＩＳ４１０から照射される光の経路について説明する。ＬＥＤ光源４０１から照射される光の光軸は、ＣＩＳガラス４０５の読取面の法線に対して、ＬＥＤ光源４０２側に所定角度で傾斜する。ＬＥＤ光源４０２から照射される光の光軸は、ＣＩＳガラス４０５の読取面の法線に対して、ＬＥＤ光源４０１側に所定角度で傾斜する。ＬＥＤ光源４０１の光軸とＬＥＤ光源４０２の光軸とは、ＣＩＳガラス４０５の原稿Ｓの読取面（裏面）の近傍で交差する。ＬＥＤ光源４０１、４０２からの光は、原稿Ｓの裏面に照射される。原稿Ｓの裏面からの反射光がレンズ４０４を介して光電変換部４０３に入力される。
原稿Ｓの搬送方向において、ＬＥＤ光源４０１は裏面の読取位置に対して上流に位置し、ＬＥＤ光源４０２は裏面の読取位置に対して下流に位置する。ここで、裏面の読取位置は、設計上において読取面と搬送される原稿は交差する位置である。
【００２５】
このように、ＬＥＤ光源１０１、１０２、４０１、４０２は、原稿Ｓに対する照明部として機能する。より詳しくは、ＬＥＤ光源１０１、１０２は原稿Ｓの表面に光を照射する照明部、ＬＥＤ光源４０１、４０２は原稿Ｓの裏面に光を照射する照明部として、それぞれ機能する。
【００２６】
図３は、画像読取装置によりＡＤＦ３０で取り込んだ原稿Ｓの片面（表面）の画像のみを読み取る際のＣＩＳ１１０の説明図である。片面の画像を読み取るために、ＣＩＳ４１０は光の照射を行わない。ＣＩＳ１１０から照射される光の経路は、両面の画像を読み取る際の光の経路と同様である。
【００２７】
ＣＩＳ１１０、４１０から照射される光は、原稿Ｓの両面の画像を読み取る場合と、片面の画像を読み取る場合とで、以下のように相違する。
【００２８】
原稿Ｓの両面の画像を読み取る場合、ＣＩＳ１１０のＬＥＤ光源１０２からの光量は、ＬＥＤ光源１０１からの光量よりも小さくする。ＣＩＳ１１０のＬＥＤ光源１０２からの光は、ＣＩＳ４１０の方向へ照射されるので、ＣＩＳ４１０の読み取りに影響を与える可能性がある。よって、ＣＩＳ４１０への影響を減少させるために、ＣＩＳ１１０のＬＥＤ光源１０２からの光量を小さくする。ＣＩＳ１１０のＬＥＤ光源１０１からの光は、ＣＩＳ４１０とは逆の方向へ照射されるので、ＣＩＳ４１０の読み取りに影響を与える可能性は小さい。よって、ＣＩＳ１１０のＬＥＤ光源１０１からの光量を小さくする必要がない。同様に、ＣＩＳ４１０のＬＥＤ光源４０１からの光量は、ＬＥＤ光源４０２からの光量よりも小さくする。ＣＩＳ４１０のＬＥＤ光源４０１からの光は、ＣＩＳ１１０の方向へ照射される。そして、ＣＩＳ４１０のＬＥＤ光源４０２からの光は、ＣＩＳ１１０とは逆の方向へ照射される。このようにすることにより、ＣＩＳ１１０からの光がＣＩＳ４１０の読み取りに与える影響及びＣＩＳ４１０からの光がＣＩＳ１１０の読み取りに与える影響を低減することができる。
【００２９】
原稿Ｓの片面の画像を読み取る場合、原稿の裏面を読み取るためのＣＩＳ４１０は駆動されない。よって、ＣＩＳ１１０からの光がＣＩＳ４１０の読み取りに与える影響を考慮する必要がなく、ＣＩＳ１１０のＬＥＤ光源１０２からの光量と、ＬＥＤ光源１０１からの光量とを同量にする。ＣＩＳ４１０から照射される光の光量は、原稿Ｓの両面の画像を読み取るときのＣＩＳ１１０から照射される光の光量と同量である。
【００３０】
図４は、このような画像読取装置の動作を制御する制御部の構成例示図である。制御部は、例えば装置下部１０内に設けられ、画像読取装置の各部に制御信号を送信することで全体の動作を制御する。なお、図示は省略するが、画像読取装置には、ユーザによる指示を受け付ける操作部や、これらの指示を実行するために必要な構成要素が設けられている。ユーザの指示としては、電源投入、各種動作モードや読取画質の設定、読取開始等がある。操作部は、これらの指示のための操作ボタンを備える。各種動作モードには、読取時のＡＤＦ使用モード（ＡＤＦの使用／不使用）、読取モード（片面読取モード、両面同時読取モード）等がある。
【００３１】
画像読取装置の制御部は、画像読取装置内の各部の動作を制御するためのＣＰＵ（Central Processing Unit）３０２及びＲＡＭ（Random Access Memory）３１２を備える。ＣＰＵ３０２には、ＬＥＤ光源１０１、１０２、４０１、４０２の点灯制御を行うための表面第１点灯回路３０１、表面第２点灯回路３１１、裏面第１点灯回路３５１、及び裏面第２点灯回路３５２が接続される。また、ＣＰＵ３０２には、光電変換部１０３、４０３を制御するための画像処理部３０４が接続される。画像処理部３０４は、例えばＡＳＩＣ（Application Specific Integrated Circuit）により実現される。画像処理部３０４には、表面用のＡ／Ｄ変換部３０５及び裏面用のＡ／Ｄ変換部３５５が接続される。ＣＰＵ３０２とＲＡＭ３０３、ＣＰＵ３０２と画像処理部３０４は、それぞれバスで接続される。ＲＡＭ３０３は、ＣＰＵ３０２がプログラムを実行する際にワークメモリとして用いられる。またＲＡＭ３０３は、画像処理部３０４が処理を行う際のワークメモリとしても用いられる。
【００３２】
ＣＰＵ３０２は、原稿検知センサ３９から、搬送路を搬送された原稿Ｓの先端と後端とを検知した際に出力される検知信号を取得する。この検知信号に応じてＣＰＵ３０２は、ＬＥＤ光源１０１、１０２、４０１、４０２の点灯制御を行うための表面点灯信号及び裏面点灯信号を出力する。また、ＣＰＵ３０２は、設定された読取モードに応じて表面モード設定信号を出力する。
【００３３】
表面点灯信号は、表面第１点灯回路３０１及び表面第２点灯回路３１１に入力される。表面第１点灯回路３０１は、表面点灯信号に応じてＬＥＤ光源１０１の点灯制御を行う。表面第２点灯回路３１１は、表面点灯信号に応じてＬＥＤ光源１０２の点灯制御を行う。表面モード設定信号は、表面第２点灯回路３１１に入力される。表面第２点灯回路３１１は、表面モード設定信号に応じてＬＥＤ光源１０２の光量を制御する。表面第２点灯回路３１１は、ＬＥＤ光源１０２を、表面モード設定信号が片面読取モードを表す場合に通常点灯状態にし、両面同時読取モードを表す場合に減点灯状態にする。
ここで、通常点灯状態は図３に示すＬＥＤ光源１０１及び光源１０２の点灯状態であり、減点灯状態は、図２に示す点灯状態である。
【００３４】
裏面点灯信号は、裏面第１点灯回路３５１及び裏面第２点灯回路３５２に入力される。裏面第１点灯回路３５１は、裏面点灯信号に応じてＬＥＤ光源４０１の点灯制御を行う。裏面第２点灯回路３５２は、裏面点灯信号に応じてＬＥＤ光源４０２の点灯制御を行う。
【００３５】
画像処理部３０４は、以下の機能を実現する。
（１）ＣＩＳ１１０内の光電変換部１０３を駆動する駆動信号を出力する。光電変換部１０３は、この駆動信号により、原稿Ｓの表面からの反射光をアナログの画像データに光電変換する。
（２）Ａ／Ｄ変換部３０５を駆動する駆動信号を出力する。Ａ／Ｄ変換部３０５は、この駆動信号により、光電変換部１０３から出力されるアナログの画像データをデジタルの画像データにＡ／Ｄ変換する。
（３）ＣＩＳ４１０内の光電変換部４０３を駆動する駆動信号を出力する。光電変換部４０３は、この駆動信号により、原稿Ｓの裏面からの反射光をアナログの画像データに光電変換する。
（４）Ａ／Ｄ変換部３５５を駆動する駆動信号を出力する。Ａ／Ｄ変換部３５５は、この駆動信号により、光電変換部４０３から出力されるアナログの画像データをデジタルの画像データにＡ／Ｄ変換する。
（５）Ａ／Ｄ変換部３０５、３５５から出力された画像データに対して、シェーディング処理等の画像処理を実行する。
【００３６】
画像処理部３０４において画像処理された画像データは、画像読取装置がスキャナである場合には、不図示のコンピュータ等の外部機器に出力される。画像読取装置が画像形成装置に接続される場合には、画像形成装置により印刷処理に用いられる。画像読取装置がファクシミリの場合には、公衆回線を介して相手先に送信される。
【００３７】
以上のような構成の画像読取装置は、スタンバイ状態にあるときにＣＩＳ１１０がホームポジションに位置する。ホームポジションは、例えば図１に示す位置である。原稿台１０８上に載置された原稿Ｓの画像を読み取る際には、ＣＩＳ１１０が副走査方向に移動して原稿Ｓの画像を読み取る。ＡＤＦ３０を用いて原稿Ｓの画像を読み取る際には、ＣＩＳ１１０はホームポジションから移動しない。
【００３８】
（ＡＤＦ３０を用いた片面読み取り処理）
ＡＤＦ３０を用いて原稿Ｓの片面を読み取る場合、ＣＩＳ１１０が読み取りを行う。ユーザは、原稿トレイ２０上に、読取面となる表面を上にして原稿Ｓを載置する。載置する原稿Ｓは複数枚であってもよい。また、ユーザは、不図示の操作部によりＡＤＦ３０を用いた片面の読み取りを指示する。
【００３９】
ユーザによる読み取りの指示に応じて、ＡＤＦ３０は原稿Ｓの取り込みを開始する。ＡＤＦ３０は、ピックアップローラ３１により原稿トレイ２０から原稿Ｓを１枚ずつ取り込む。取り込まれた原稿Ｓは、表面を原稿台１０８側に向けて、ＣＩＳ１１０の上まで搬送される。原稿ＳがＣＩＳ１１０の上面を通過する際に、画像の読み取りが行われる。
【００４０】
原稿Ｓが搬送されて原稿検知センサ３９が原稿Ｓを検知すると、検知信号がＣＰＵ３０２に送信される。片面の読み取りであるため、ＣＰＵ３０２は、検知信号に応じて表面点灯信号を表面第１点灯回路３０１及び表面第２点灯回路３１１に出力する。また、ＣＰＵ３０２は、片面読取モードであることを表す表面モード設定信号を表面第２点灯回路３１１に出力する。これにより表面第１点灯回路３０１及び表面第２点灯回路３１１は、ＣＩＳ１１０のＬＥＤ光源１０１、１０２から光を原稿Ｓの表面に照射させる。ＬＥＤ光源１０２は、表面モード設定信号に応じて図３に示す通常点灯状態になる。
【００４１】
原稿Ｓの表面に照射された光の反射光により、光電変換部１０３は、アナログの画像データを生成する。アナログの画像データはＡ／Ｄ変換部３０５に送られてデジタルの画像データに変換される。デジタルの画像データは画像処理部３０４で画像処理されてＣＰＵ３０２に送られる。これにより原稿Ｓの表面の画像の読み取りが終了する。画像が読み取られた原稿Ｓは、排紙トレイ２１に排出される。
【００４２】
なお、ＣＩＳ４１０により原稿Ｓの表面の画像を読み取るようにしてもよい。この場合、原稿Ｓは、読取面となる表面を下にして原稿トレイ２０に載置される。
【００４３】
（ＡＤＦ３０を用いた両面同時読み取り処理）
ＡＤＦ３０を用いて原稿Ｓの両面を読み取る場合、ＣＩＳ１１０、４１０が読み取りを行う。ユーザは、原稿トレイ２０上に原稿Ｓを載置する。載置する原稿Ｓは複数枚であってもよい。また、ユーザは、不図示の操作部によりＡＤＦ３０を用いた両面の読み取りを指示する。
【００４４】
ユーザの読み取りの指示に応じて、ＡＤＦ３０は原稿Ｓの取り込みを開始する。ＡＤＦ３０は、ピックアップローラ３１により原稿トレイ２０から原稿Ｓを１枚ずつ取り込む。取り込まれた原稿Ｓは、表面を原稿台１０８側に向けて、ＣＩＳ１１０、４１０の間まで搬送される。原稿ＳがＣＩＳ１１０、４１０の間を通過する際に、画像の読み取りが行われる。
【００４５】
原稿Ｓが搬送されて原稿検知センサ３９が原稿Ｓを検知すると、検知信号がＣＰＵ３０２に送信される。本実施形態では、原稿Ｓの搬送方向の上流側にＣＩＳ４１０が配置され、下流側にＣＩＳ１１０を配置されている。そのためにＣＰＵ３０２は、先にＣＩＳ４１０に裏面の画像の読取動作を開始させ、次いでＣＩＳ１１０に表面の画像の読取動作を開始させる。
【００４６】
ＣＰＵ３０２は、検知信号に応じて、まず、裏面点灯信号を裏面第１点灯回路３５１及び裏面第２点灯回路３５２に出力し、次いで、表面点灯信号を表面第１点灯回路３０１及び表面第２点灯回路３１１に出力する。また、ＣＰＵ３０２は、両面同時読取モードであることを表す表面モード設定信号を表面第２点灯回路３１１に入力する。
【００４７】
裏面点灯信号に応じて裏面第１点灯回路３５１及び裏面第２点灯回路３５２は、図２に示される減点灯状態にて、ＣＩＳ４１０のＬＥＤ光源４０１、４０２を点灯させる。光電変換部４０３は、原稿Ｓの裏面からの反射光を受光し、裏面画像を示すアナログの画像データを生成する。そして、表面点灯信号及び表面モード設定信号に応じて表面第１点灯回路３０１及び表面第２点灯回路３１１は、図２に示される減点灯状態にて、ＣＩＳ１１０のＬＥＤ光源１０１、１０２から光を原稿Ｓの表面に照射させる。ＬＥＤ光源１０２は、表面モード設定信号に応じて半減点灯状態になる。原稿Ｓの表面に照射された光の反射光により、光電変換部１０３は、表面画像を示すアナログの画像データを生成する。表面及び裏面のアナログの画像データはＡ／Ｄ変換部３０５、３５５に送られてデジタルの画像データに変換される。デジタルの画像データは画像処理部３０４で画像処理されてＣＰＵ３０２に送られる。これにより原稿Ｓの表面及び裏面の画像の読み取りが終了する。画像が読み取られた原稿Ｓは、排紙トレイ２１に排出される。
【００４８】
なお、上記の配置とは逆に、上流側にＣＩＳ１１０を配置し、下流側にＣＩＳ４１０を配置して、原稿Ｓの裏面を先に読み取る構成であってもよい。この場合、上流側にＣＩＳ１１０を配置することで原稿Ｓの表面の画像を先に読み取り、裏面を後に読み取ることになる。このような構成では、ＣＩＳ１１０のＬＥＤ光源１０１から照射される光の光量を、ＬＥＤ光源１０２から照射される光の光量よりも少なくする。また、ＣＩＳ４１０のＬＥＤ光源４０２から照射される光の光量を、ＬＥＤ光源４０１から照射される光の光量よりも少なくする。
【００４９】
図５は、画像読取装置による読み取り処理を表すフローチャートである。読み取り処理は、上述の通り、ユーザが原稿Ｓを原稿トレイ２０に載置し、不図示の操作部により読み取りを指示することで開始される。
【００５０】
ＣＰＵ３０２は、読み取りの指示を受信して読み取り処理を開始する（Ｓ１００）。読み取り処理を開始すると、ＣＰＵ３０２は、ＡＤＦ３０の各部を動作させて、原稿トレイ２０から原稿ＳをＡＤＦ３０内に取り込ませる。また、ＣＰＵ３０２は、受信した読み取りの指示が両面読み取りであるか否かを判断する（Ｓ１０１）。
【００５１】
両面読み取りである場合（Ｓ１０１：Y）、ＣＰＵ３０２は、原稿検知センサ３９から原稿Ｓを検知した検知信号を受信して（Ｓ１０２）、上述のＡＤＦ３０を用いた両面同時読み取り処理を行う（Ｓ１０３）。両面同時読み取り処理が終了すると、ＣＰＵ３０２は、原稿トレイ２０上に次の原稿Ｓが有るか否かを判断する（Ｓ１０４）。原稿トレイ２０は、原稿Ｓの有無を検知する不図示のセンサを備えており、ＣＰＵ３０２は、このセンサの検知結果により次の原稿Ｓの有無を判断する。次の原稿Ｓが有る場合（Ｓ１０４：Y）、ＣＰＵ３０２はＡＤＦ３０に次の原稿Ｓを取り込ませて、ステップＳ１０２以降の処理を行う。次の原稿Ｓが無い場合（Ｓ１０４：N）、ＣＰＵ３０２は、読み取り処理を終了する。
【００５２】
片面読み取りである場合（Ｓ１０１：N）、ＣＰＵ３０２は、原稿検知センサ３９から原稿Ｓを検知した検知信号を受信して（Ｓ１０５）、上述のＡＤＦ３０を用いた片面読み取り処理を行う（Ｓ１０６）。片面読み取り処理が終了すると、ＣＰＵ３０２は、原稿トレイ２０上に次の原稿Ｓが有るか否かを判断する（Ｓ１０７）。原稿トレイ２０は、原稿Ｓの有無を検知する不図示のセンサを備えており、ＣＰＵ３０２は、このセンサの検知結果により次の原稿Ｓの有無を判断する。次の原稿Ｓが有る場合（Ｓ１０７：Y）、ＣＰＵ３０２はＡＤＦ３０に次の原稿Ｓを取り込ませて、ステップＳ１０１以降の処理を行う。次の原稿Ｓが無い場合（Ｓ１０７：N）、ＣＰＵ３０２は、読み取り処理を終了する。
【００５３】
以上のように本実施形態の画像読取装置は、原稿Ｓの両面を同時に読み取る際にもＣＩＳ１１０から照射される光とＣＩＳ４１０から照射される光とが相互に干渉することはない。そのために、裏写り防止のための遮光板等の部材を設けることなく、簡単な構成で裏写りを低減することができる。
【００５４】
ＣＰＵ３０２から裏面第１点灯回路３５１へは、ＣＰＵ３０２から表面第２点灯回路３１１へと同様に、モード設定信号を送信するようにしてもよい。これにより、ＬＥＤ光源４０１から照射される光の光量を、通常点灯状態と半減点灯状態とで切り替えることができる。ＬＥＤ光源の通常点灯状態と半減点灯状態との切り替えは、ＬＥＤの駆動電流を変える他に、ＬＥＤの点灯比率を変えることで行ってもよい。また、減点灯におけるＬＥＤ光源の光量は、原稿の物理的特性（光の反射の割合や透過の程度など）に併せて、裏写りが生じない範囲で適宜な割合で光源の光量を低減させればよい。また、減点灯状態における、同一のＣＩＳユニットに配置された２つのＬＥＤ光源の光量の割合も裏写りが生じない範囲で適宜な割合に設定すればよい。
【００５５】
ＣＩＳ１１０、４１０の光源には、ＬＥＤ光源の他にキセノンランプ、ハロゲンランプ、蛍光灯等、様々な発光体を用いることができる。また、ＬＥＤ光源と主走査方向に平行に配設された導光体とを組み合わせた構成に代えて、主走査方向に所定の間隔で複数のＬＥＤ素子が配設されたＬＥＤアレイ光源を用いてもよい。ＣＩＳの他に、ＣＭＯＳセンサやＣＣＤセンサにより画像を読み取る構成であってもよい。
【００５６】
本実施形態では原稿Ｓの上面を表面、下面を裏面としたが、表裏面を逆面としても良い。この場合、ＣＩＳ４１０は原稿表面読取用、ＣＩＳ１１０は裏面読取用として、それぞれ用いられる。
【符号の説明】
【００５７】
１０…装置下部、２０…原稿トレイ、３０…ＡＤＦ、３９…原稿センサ、４０…装置上部、１０１…ＬＥＤ光源、１０２…ＬＥＤ光源、１０３…ＣＩＳ光電変換部、１０８…原稿台、１１０…ＣＩＳ、３０１…表面第１点灯回路、３０２…表面第２点灯回路、３０５…Ａ／Ｄ変換部、３１１…ＣＰＵ、３１２…ＲＡＭ、３１３…画像処理部、３５１…裏面第１点灯回路、３５２…裏面第２点灯回路、３５５…Ａ／Ｄ変換部、４０１…ＬＥＤ光源、４０２…ＬＥＤ光源、４０３…ＣＩＳ変換部、４１０…ＣＩＳ
【図１】
2015177212.tif 000003
【図２】
2015177212.tif 000004
【図３】
2015177212.tif 000005
【図４】
2015177212.tif 000006
【図５】
2015177212.tif 000007